(57)【要約】  【課題】深夜のような必要な時間帯においてのみ人の声以外の音声を抑制できるテレビジョン受像機を提供する。  【解決手段】音声信号処理回路６とスピーカ１０との間に、スイッチ７と帯域フィルタ８を設ける。帯域フィルタ８は、人の声の周波数帯域（３００Ｈｚ〜３４００Ｈｚ）を持ったフィルタからなる。制御部１１は、予め設定された夜間モード時間帯においては、音声信号処理回路６とスピーカ１０とが帯域フィルタ８を介して接続されるよう、スイッチ７をｘ側に切り替える。また、夜間モード時間帯以外の時間帯においては、音声信号処理回路６とスピーカ１０とが帯域フィルタ８を介さずに接続されるよう、スイッチ７をｙ側に切り替える。【選択図】  図１
2005328177.tif 000002
【特許請求の範囲】
【請求項１】
アンテナで受信された放送電波から所定のチャンネルの信号を抽出するチューナと、このチューナから出力される中間周波信号を処理する中間周波信号処理回路と、この中間周波信号処理回路から出力される映像信号を処理して表示部へ供給する映像信号処理回路と、前記中間周波信号処理回路から出力される音声信号を処理してスピーカへ供給する音声信号処理回路と、前記スピーカからの音声出力を制御する制御部とを有し、前記制御部はＣＰＵ、メモリおよび時計回路を備えているテレビジョン受像機において、
前記音声信号処理回路とスピーカとの間に帯域フィルタとスイッチとを設け、
前記帯域フィルタは、人の声の周波数帯域を持ったフィルタからなり、
前記スイッチは、第１の側に切り替えられたときに、前記音声信号処理回路と前記スピーカとを前記帯域フィルタを介して接続し、第２の側に切り替えられたときに、前記音声信号処理回路と前記スピーカとを前記帯域フィルタを介さずに接続し、
前記制御部のＣＰＵは、映像および音声の再生開始時に前記時計回路から現在時刻を取得して、当該現在時刻が前記メモリに設定されている夜間モード時間帯に含まれるか否かを判定し、現在時刻が夜間モード時間帯に含まれる場合は、前記スイッチを第１の側に切り替え、現在時刻が夜間モード時間帯に含まれない場合は、前記スイッチを第２の側に切り替えるように制御を行い、
前記表示部は、夜間モード時間帯での映像および音声再生時に、画面上に夜間モード表示を行うことを特徴とするテレビジョン受像機。
【請求項２】
アンテナで受信された放送電波から所定のチャンネルの信号を抽出するチューナと、このチューナから出力される中間周波信号を処理する中間周波信号処理回路と、この中間周波信号処理回路から出力される映像信号を処理して表示部へ供給する映像信号処理回路と、前記中間周波信号処理回路から出力される音声信号を処理してスピーカへ供給する音声信号処理回路と、前記スピーカからの音声出力を制御する制御部とを備えたテレビジョン受像機において、
前記音声信号処理回路とスピーカとの間に帯域フィルタと切替手段とを設け、
前記帯域フィルタは、人の声の周波数帯域を持ったフィルタからなり、
前記制御部は、予め設定された夜間モード時間帯においては、前記切替手段を第１の側に切り替えて、前記音声信号処理回路と前記スピーカとを前記帯域フィルタを介して接続し、夜間モード時間帯以外の時間帯においては、前記切替手段を第２の側に切り替えて、前記音声信号処理回路と前記スピーカとを前記帯域フィルタを介さずに接続することを特徴とするテレビジョン受像機。
【請求項３】
アンテナで受信された放送電波から所定のチャンネルの信号を抽出するチューナと、このチューナから出力される中間周波信号を処理する中間周波信号処理回路と、この中間周波信号処理回路から出力される映像信号を処理して表示部へ供給する映像信号処理回路と、前記中間周波信号処理回路から出力される音声信号を処理してスピーカへ供給する音声信号処理回路と、前記スピーカからの音声出力を制御する制御部とを備えたテレビジョン受像機において、
前記音声信号処理回路とスピーカとの間に複数の帯域フィルタと切替手段とを設け、
前記複数の帯域フィルタは、人の声の周波数帯域を持ったフィルタと、人の声の周波数帯域よりも広い周波数帯域を持ったフィルタとを含み、
前記制御部は、予め設定された複数の夜間モード時間帯に応じて、前記切替手段を切り替えることにより、前記複数の帯域フィルタから１つを選択し、前記音声信号処理回路と前記スピーカとを当該選択された帯域フィルタを介して接続し、夜間モード時間帯以外の時間帯においては、前記切替手段を切り替えることにより、前記音声信号処理回路と前記スピーカとをいずれの帯域フィルタも介さずに接続することを特徴とするテレビジョン受像機。
【請求項４】
請求項２または請求項３に記載のテレビジョン受像機において、
夜間モード時間帯を設定するための時間帯設定手段と、
前記時間帯設定手段により設定された時間帯に対応する帯域フィルタを選択するためのフィルタ選択手段と、
を備えたことを特徴とするテレビジョン受像機。
【請求項５】
請求項２ないし請求項４のいずれかに記載のテレビジョン受像機において、
音声信号処理回路とスピーカとを、夜間モード時間帯にのみ帯域フィルタを介して接続するか、もしくは常時帯域フィルタを介して接続するか、または常時帯域フィルタを介さずに接続するかを選択可能としたことを特徴とするテレビジョン受像機。
【請求項６】
請求項２ないし請求項５のいずれかに記載のテレビジョン受像機において、
夜間モード時間帯での映像および音声再生時に、前記表示部の画面上に夜間モード表示を行うことを特徴とするテレビジョン受像機。
【発明の詳細な説明】
【技術分野】
【０００１】
本発明はテレビジョン受像機に関し、特に、音声信号の帯域制御に関するものである。
【背景技術】
【０００２】
テレビジョン受像機で深夜に番組を視聴する場合、音量をある程度上げても、アナウンサーの話し声などはそれほど周囲の迷惑にならないが、番組のオープニングやエンディングで流れる音楽とか、コマーシャルのバックで流れる音楽などは周囲の迷惑となる場合が多い。そこで、深夜の場合はボリュームを調節して、かなり小さな音量で視聴することになるが、このようにすると、人の声も小さくなって聞き取りにくくなる。
【０００３】
そこで、音声のうち人の声を強調し、それ以外の音楽等を減衰させるために、所定の周波数帯域を持った帯域フィルタを設けることが考えられる。また、下記の特許文献１には、オーディオ信号から環境音（エンジン音など）を抽出して、オーディオ信号のレベルに応じて環境音のレベルを制御し、オーディオ信号からレベルの制御された環境音を減算して出力することにより、音声と環境音とのレベル比を一定にして音声の了解度（intelligibility）を向上させる技術が開示されている。
【特許文献１】特開平８−２２２９７９号公報
【発明の開示】
【発明が解決しようとする課題】
【０００４】
上記のように帯域フィルタを設けたり、環境音に基づいて音声のレベルをコントロールしたりすることで、人の声の部分が強調されて、喧騒な音楽や環境音が抑制されるため、深夜において周囲へ迷惑を及ぼすことを防止できる。しかし、その反面、上記従来技術では、深夜の時間帯以外にも音楽や環境音が抑制されることになり、昼間に番組を視聴する場合には、人の声のみが強調されて視聴者に違和感を与えたり、音楽番組などでは本来の音楽がよく聴こえないという不具合が発生する。また、深夜以外であっても、ある時間帯は通常の音声で視聴し（例えば音楽番組）、ある時間帯は人の声のみを強調して視聴したい（例えばニュース番組）という場合もあるが、上記従来技術では、このような要求を満たすことは不可能である。
【０００５】
本発明は、上記課題を解決するものであって、その目的とするところは、深夜のような必要な時間帯においてのみ人の声以外の音声を抑制できるテレビジョン受像機を提供することにある。
【課題を解決するための手段】
【０００６】
本発明では、アンテナで受信された放送電波から所定のチャンネルの信号を抽出するチューナと、このチューナから出力される中間周波信号を処理する中間周波信号処理回路と、この中間周波信号処理回路から出力される映像信号を処理して表示部へ供給する映像信号処理回路と、中間周波信号処理回路から出力される音声信号を処理してスピーカへ供給する音声信号処理回路と、スピーカからの音声出力を制御する制御部とを備えたテレビジョン受像機において、音声信号処理回路とスピーカとの間に帯域フィルタと切替手段とを設ける。帯域フィルタは、人の声の周波数帯域を持ったフィルタからなる。そして、制御部は、予め設定された夜間モード時間帯においては、切替手段を第１の側に切り替えて、音声信号処理回路とスピーカとを帯域フィルタを介して接続し、夜間モード時間帯以外の時間帯においては、切替手段を第２の側に切り替えて、音声信号処理回路とスピーカとを帯域フィルタを介さずに接続する。
【０００７】
このように、時間帯に応じて帯域フィルタを接断することにより、夜間モード時間帯においては、帯域フィルタを作用させて人の声を強調する一方、それ以外の音声を抑制し、夜間モード時間帯以外の時間帯においては、帯域フィルタを作用させずに、通常の音声を出力することができる。したがって、夜間モード時間帯を任意に設定することで、必要な時間帯においてのみ人の声を強調し、それ以外の音声を抑制することが可能となる。
【０００８】
本発明においては、帯域フィルタを複数設けることもできる。この場合、複数の帯域フィルタは、人の声の周波数帯域を持ったフィルタと、人の声の周波数帯域よりも広い周波数帯域を持ったフィルタとを含む。そして、制御部は、予め設定された複数の夜間モード時間帯に応じて、切替手段を切り替えることにより、複数の帯域フィルタから１つを選択し、音声信号処理回路とスピーカとを当該選択された帯域フィルタを介して接続する。また、夜間モード時間帯以外の時間帯においては、切替手段を切り替えることにより、音声信号処理回路とスピーカとをいずれの帯域フィルタも介さずに接続する。これによると、夜間モード時間帯を複数設定し、それぞれの時間帯において異なる帯域フィルタを作用させることにより、時間帯に応じて異なる態様で音声が出力されるので、音声出力のバリエーションを広げることができる。
【０００９】
また、本発明では、夜間モード時間帯を設定するための時間帯設定手段と、この時間帯設定手段により設定された時間帯に対応する帯域フィルタを選択するためのフィルタ選択手段とが設けられる。これによると、ユーザは時間帯に応じて任意の帯域フィルタを選ぶことができるので、その時間帯に見合った音声出力が得られるという利点がある。
【００１０】
また、本発明においては、音声信号処理回路とスピーカとを、夜間モード時間帯にのみ帯域フィルタを介して接続するか、もしくは常時帯域フィルタを介して接続するか、または常時帯域フィルタを介さずに接続するかを選択可能としてもよい。これによると、ユーザは帯域フィルタを常時作用させたい場合や、帯域フィルタを常時切り離しておきたい場合に、いちいち時間帯を設定する必要がなくなり、操作が簡単になるという利点がある。
【００１１】
また、本発明においては、夜間モード時間帯での映像および音声再生時に、表示部の画面上に夜間モード表示を行うことが好ましい。これによると、夜間モードで音声再生を行っていることを知らせることができるので、人の声のみが強調されていても、ユーザが不審に感じたり故障と誤解したりするのを回避することができる。
【発明の効果】
【００１２】
本発明によれば、時間帯に応じて帯域フィルタを接断するようにしたので、必要な時間帯においてのみ人の声以外の音声を抑制することが可能となる。
【発明を実施するための最良の形態】
【００１３】
図１は、本発明の実施形態に係るテレビジョン受像機１００を示したブロック図である。図１において、１は放送電波を受信するアンテナ、２はアンテナ１で受信された放送電波から所定のチャンネルの信号を抽出するチューナ、３はチューナ２から出力される中間周波信号を処理する中間周波信号処理回路、４は中間周波信号処理回路３から出力される映像信号を処理する映像信号処理回路、５は映像信号処理回路４からの出力信号に基づいて映像を表示する表示部としてのＣＲＴ（陰極線管）、６は中間周波信号処理回路３から出力される音声信号を処理する音声信号処理回路である。
【００１４】
７は切替手段としてのスイッチ、８は帯域フィルタ、９は音声を増幅する増幅回路、１０は増幅回路９で増幅された音声を出力するスピーカである。スイッチ７は電子スイッチから構成されるが、これに代えてリレーの接点などで構成してもよい。帯域フィルタ８は、人の声の周波数帯域を持ったフィルタからなり、例えば図２のような回路から構成される。図２において、Ｒは抵抗、Ｃ１〜Ｃ４はコンデンサ、Ｌはインダクタンス（コイル）である。図３は、図２の回路からなる帯域フィルタ８の周波数特性を示している。図示のように、帯域フィルタ８は、人の声の周波数帯域Ｗに相当する３００Ｈｚ〜３４００Ｈｚの音声信号を通過させ、それ以外の周波数帯域の信号をカットする特性を有している。
【００１５】
スイッチ７と帯域フィルタ８とは、音声信号処理回路６とスピーカ１０との間に設けられており、スイッチ７がｘ側（フィルタ側）に切り替えられたときに、音声信号処理回路６とスピーカ１０とが帯域フィルタ８を介して接続され、スイッチ７がｙ側（スルー側）に切り替えられたときに、音声信号処理回路６とスピーカ１０とが帯域フィルタ８を介さずに接続されるようになっている。
【００１６】
１１はテレビジョン受像機１００の動作を制御する制御部であって、上述したスイッチ７は制御部１１により切り替えが制御される。この制御部１１には、ＣＰＵ１２、メモリ１３および時計回路１４が備わっている。メモリ１３はＲＯＭやＲＡＭなどから構成され、ＲＯＭに格納されているプログラムに従って、ＣＰＵ１２が所定の動作を実行する。時計回路１４は常時、現在時刻を計時している。また、制御部１１にはリモコン（図示省略）からの信号が入力され、このリモコン信号によりメモリ１３に後述する夜間モード時間帯が設定される。
【００１７】
次に、図１のテレビジョン受像機１００における音声制御の動作を、図４のフローチャートに従って説明する。図４の手順は、制御部１１のＣＰＵ１２により実行される。最初に、テレビジョン受像機１００の電源がＯＮになると（ステップＳ１）、ＣＰＵ１２は時計回路１４が計時した現在時刻ｔを取得する（ステップＳ２）。そして、取得した現在時刻ｔを、メモリ１３に設定されている夜間モード時間帯の時刻Ｔ１，Ｔ２と比較する。時刻Ｔ１は夜間モード時間帯の開始時刻であり、時刻Ｔ２は夜間モード時間帯の終了時刻である。これらの時刻Ｔ１，Ｔ２は、図５に示すように、ＣＲＴ５の画面５ａに表示される夜間モード設定画面において、リモコンを操作することにより設定され、設定された時刻Ｔ１，Ｔ２は、メモリ１３に格納される。ここでは、開始時刻Ｔ１が２２：００に設定され、終了時刻Ｔ２が６：００に設定されている。したがって、当日の午後１０時から翌日の午前６時までの間が夜間モード時間帯となる。
【００１８】
次に、ＣＰＵ１２は、現在時刻ｔが開始時刻Ｔ１（２２：００）と終了時刻Ｔ２（６：００）との間にあるか否かを判定する（ステップＳ４）。その結果、ｔがＴ１とＴ２との間にある場合（例えばｔ＝２３：００の場合）は、ステップＳ４での判定はＹＥＳとなり、スイッチ７をｘ側（フィルタ側）にして（ステップＳ５）、音声信号処理回路６とスピーカ１０とを帯域フィルタ８を介して接続する。そして、ＣＲＴ５の画面５ａに、図６に示すような夜間モード表示３０を行うとともに（ステップＳ６）、映像と音声の再生動作を行う（ステップＳ７）。夜間モード表示３０は、夜間モードであることを示すマーク３１と、時間帯表示３２とからなり、これらはＯＳＤ（On Screen Display）により表示される。このＯＳＤ表示のための画像データは、メモリ１３の所定領域に格納されている。続いて、テレビジョン受像機１００の電源がＯＦＦされたか否かを判定し（ステップＳ８）、電源がＯＦＦされなければ、ステップＳ２へ戻ってステップＳ２以下の処理を反覆し、電源がＯＦＦされれば処理を終了する。
【００１９】
ここで、ステップＳ５において、音声信号処理回路６とスピーカ１０とが帯域フィルタ８を介して接続されるため、ステップＳ７で音声を再生した場合、音声信号処理回路６から出力される音声信号は、図３の特性を持った帯域フィルタ８によって、人の声の部分が強調され、それ以外の音声はカットされる。この結果、２２：００から６：００までの間においては、スピーカ１０から聴こえる音声は大部分が人の声となり、喧騒な音楽や環境音が抑制されるため、周囲への迷惑を防止することができる。
【００２０】
一方、ステップＳ４において、ｔがＴ１とＴ２との間にない場合（例えばｔ＝１３：００の場合）は、ステップＳ４での判定はＮＯとなり、スイッチ７をｙ側（スルー側）にして（ステップＳ９）、音声信号処理回路６とスピーカ１０とを帯域フィルタ８を介さずに接続する。そして、ＣＲＴ５の画面５ａに夜間モード表示３０を表示せずに（ステップＳ１０）、映像と音声の再生動作を行う（ステップＳ７）。続いて、テレビジョン受像機１００の電源がＯＦＦされたか否かを判定し（ステップＳ８）、電源がＯＦＦされなければ、ステップＳ２へ戻ってステップＳ２以下の処理を反覆し、電源がＯＦＦされれば処理を終了する。
【００２１】
ここで、ステップＳ９において、音声信号処理回路６とスピーカ１０とが帯域フィルタ８を介さずに接続されるため、ステップＳ７で音声を再生した場合、音声信号処理回路６から出力される音声信号は、図３の特性を持った帯域フィルタ８によって人の声以外の部分がカットされることなく、スピーカ１０から出力される。この結果、６：００から２２：００までの間においては、違和感のない通常の音声で番組を視聴することができる。
【００２２】
以上のように、図４の手順に従えば、時間帯に応じて帯域フィルタ８を接断することにより、夜間モード時間帯においては、帯域フィルタ８を作用させて人の声を強調する一方、それ以外の音声を抑制し、夜間モード時間帯以外の時間帯においては、帯域フィルタ８を作用させずに、通常の音声を出力することができる。したがって、リモコンの操作により、メモリ１３に夜間モード時間帯を任意に設定することで、必要な時間帯においてのみ人の声以外の音声を抑制することが可能となる。なお、夜間モードは、人の声を強調しそれ以外の音声を抑制するモードであるから、必ずしも夜間だけでなく昼間の時間帯に設定することもできる。また、本実施形態では、夜間モード時間帯での音声再生時に、夜間モード表示３０が行われるので、夜間モードで音声再生を行っていることを知らせることで、人の声のみが強調されていても、ユーザが不審に感じたり故障と誤解したりするのを回避することができる。
【００２３】
図７は、本発明の他の実施形態に係るテレビジョン受像機１０１を示したブロック図である。図７において、１は放送電波を受信するアンテナ、２はアンテナ１で受信された放送電波から所定のチャンネルの信号を抽出するチューナ、３はチューナ２から出力される中間周波信号を処理する中間周波信号処理回路、４は中間周波信号処理回路３から出力される映像信号を処理する映像信号処理回路、５は映像信号処理回路４からの出力信号に基づいて映像を表示する表示部としてのＣＲＴ（陰極線管）、６は中間周波信号処理回路３から出力される音声信号を処理する音声信号処理回路である。以上の構成については、図１と変わるところはない。
【００２４】
７１は切替手段としてのスイッチ、８１は第１の帯域フィルタ、８２は第２の帯域フィルタ、９は音声を増幅する増幅回路、１０は増幅回路９で増幅された音声を出力するスピーカ、１１はＣＰＵ１２、メモリ１３および時計回路１４を備えた制御部である。増幅回路９、スピーカ１０および制御部１１は、図１で示したものと同じである。スイッチ７１は、ａ側（第１フィルタ側）とｂ側（第２フィルタ側）とｃ側（スルー側）の３つの状態に切り替えが可能となっており、図１のスイッチ７と同様に、電子スイッチやリレーの接点から構成される。帯域フィルタ８１は、図８に示すように、人の声の周波数帯域よりも広い周波数帯域Ｗ１（周波数ｆ１〜ｆ２）を持ったフィルタからなり、帯域フィルタ８２は、人の声の周波数帯域Ｗ２（周波数ｆ３〜ｆ４）を持ったフィルタからなる。すなわち、帯域フィルタ８２は、図１の帯域フィルタ８と同じものであり、人の声の周波数帯域Ｗ２に相当する３００Ｈｚ（ｆ３）〜３４００Ｈｚ（ｆ４）の音声信号を通過させ、それ以外の周波数帯域の信号をカットする特性を有している。なお、帯域フィルタ８１，８２の具体的な回路は、図２と同様であるが、各フィルタ８１，８２間で回路定数は異なる。
【００２５】
次に、図７のテレビジョン受像機１０１における音声制御の動作を、図９のフローチャートに従って説明する。図９の手順は、制御部１１のＣＰＵ１２により実行される。最初に、テレビジョン受像機１００の電源がＯＮになると（ステップＳ２１）、ＣＰＵ１２は時計回路１４が計時した現在時刻ｔを取得する（ステップＳ２２）。そして、取得した現在時刻ｔを、メモリ１３に設定されている夜間モード時間帯の時刻Ｔ１，Ｔ２，Ｔ３と比較する。ここでは、時刻Ｔ１は夜間モード時間帯の開始時刻であり、時刻Ｔ２は夜間モード時間帯の中間時刻であり、時刻Ｔ３は夜間モード時間帯の終了時刻である。これらの時刻Ｔ１，Ｔ２，Ｔ３は、図５の場合と同様に、ＣＲＴ５の画面５ａに表示される夜間モード設定画面において、リモコンを操作することにより設定され、設定された時刻Ｔ１，Ｔ２，Ｔ３は、メモリ１３に格納される。開始時刻Ｔ１は例えば２２：００に設定され、中間時刻Ｔ２は例えば１：００に設定され、終了時刻Ｔ３は例えば６：００に設定されている。したがって、当日の午後１０時から翌日の午前１時までが第１の夜間モード時間帯、翌日の午前１時から午前６時までが第２の夜間モード時間帯となる。
【００２６】
次に、ＣＰＵ１２は、現在時刻ｔが開始時刻Ｔ１（２２：００）と中間時刻Ｔ２（１：００）との間にあるか否かを判定する（ステップＳ２４）。その結果、ｔがＴ１とＴ２との間にある場合（例えばｔ＝０：００の場合）は、ステップＳ２４での判定はＹＥＳとなり、スイッチ７をａ側（第１フィルタ側）にして（ステップＳ２５）、音声信号処理回路６とスピーカ１０とを帯域フィルタ８１を介して接続する。そして、ＣＲＴ５の画面５ａに、図６に示すような夜間モード表示３０を行うとともに（ステップＳ２６）、映像と音声の再生動作を行う（ステップＳ２７）。続いて、テレビジョン受像機１０１の電源がＯＦＦされたか否かを判定し（ステップＳ２８）、電源がＯＦＦされなければ、ステップＳ２２へ戻ってステップＳ２２以下の処理を反覆し、電源がＯＦＦされれば処理を終了する。
【００２７】
ここで、ステップＳ２５において、音声信号処理回路６とスピーカ１０とが帯域フィルタ８１を介して接続されるため、ステップＳ２７で音声を再生した場合、音声信号処理回路６から出力される音声信号は、図８の破線の特性を持った帯域フィルタ８１によって、ある程度帯域が絞られるものの、人の声以外の音声のレベルが極端に低下することはない。この結果、２２：００から１：００までの間においては、スピーカ１０から聴こえる音声は、人の声が主で音楽等が従となった音声になる。
【００２８】
一方、ステップＳ２４において、ｔがＴ１とＴ２との間にない場合は、ステップＳ２４での判定はＮＯとなり、続いてＣＰＵ１２は、現在時刻ｔが中間時刻Ｔ２（１：００）と終了時刻Ｔ３（６：００）との間にあるか否かを判定する（ステップＳ２９）。その結果、ｔがＴ２とＴ３との間にある場合（例えばｔ＝２：００の場合）は、ステップＳ２９での判定はＹＥＳとなり、スイッチ７をｂ側（第２フィルタ側）にして（ステップＳ３０）、音声信号処理回路６とスピーカ１０とを帯域フィルタ８２を介して接続する。そして、ＣＲＴ５の画面５ａに、図６に示すような夜間モード表示３０を行うとともに（ステップＳ３１）、映像と音声の再生動作を行う（ステップＳ２７）。続いて、テレビジョン受像機１０１の電源がＯＦＦされたか否かを判定し（ステップＳ２８）、電源がＯＦＦされなければ、ステップＳ２２へ戻ってステップＳ２２以下の処理を反覆し、電源がＯＦＦされれば処理を終了する。
【００２９】
ここで、ステップＳ３０において、音声信号処理回路６とスピーカ１０とが帯域フィルタ８２を介して接続されるため、ステップＳ２７で音声を再生した場合、音声信号処理回路６から出力される音声信号は、図８の実線の特性を持った帯域フィルタ８２によって、人の声の部分が強調され、それ以外の音声はカットされる。この結果、１：００から６：００までの間においては、スピーカ１０から聴こえる音声は大部分が人の声となり、喧騒な音楽や環境音が抑制されるため、周囲への迷惑を防止することができる。
【００３０】
一方、ステップＳ２９において、ｔがＴ２とＴ３との間にない場合（例えばｔ＝９：００の場合）は、ステップＳ２９での判定はＮＯとなり、スイッチ７をｃ側（スルー側）にして（ステップＳ３２）、音声信号処理回路６とスピーカ１０とを帯域フィルタ８１，８２を介さずに接続する。そして、ＣＲＴ５の画面５ａに夜間モード表示３０を表示せずに（ステップＳ３３）、映像と音声の再生動作を行う（ステップＳ２７）。続いて、テレビジョン受像機１０１の電源がＯＦＦされたか否かを判定し（ステップＳ２８）、電源がＯＦＦされなければ、ステップＳ２２へ戻ってステップＳ２２以下の処理を反覆し、電源がＯＦＦされれば処理を終了する。
【００３１】
ここで、ステップＳ３２において、音声信号処理回路６とスピーカ１０とがいずれの帯域フィルタ８１，８２も介さずに接続されるため、ステップＳ２７で音声を再生した場合、音声信号処理回路６から出力される音声信号は、図８の特性を持った帯域フィルタ８１，８２によって人の声以外の部分がカットないし減衰されることなく、スピーカ１０から出力される。この結果、６：００から２２：００までの間においては、違和感のない通常の音声で番組を視聴することができる。
【００３２】
以上のように、図９の手順に従えば、複数の夜間モード時間帯に応じて、スイッチ７１をａ側またはｂ側に切り替えることにより、複数の帯域フィルタ８１，８２から１つを選択し、音声信号処理回路６とスピーカ１０とを選択された帯域フィルタ８１または８２を介して接続し、夜間モード時間帯以外の時間帯においては、スイッチ７１をｃ側に切り替えることにより、音声信号処理回路６とスピーカ１０とをいずれの帯域フィルタ８１，８２も介さずに接続するようにしている。このため、時間帯に応じて異なる態様で音声が出力されるので、音声出力のバリエーションを広げることができる。また、本実施形態においても、夜間モード時間帯での音声再生時に、夜間モード表示３０が行われるので、夜間モードで音声再生を行っていることを知らせることで、人の声のみが強調されていても、ユーザが不審に感じたり故障と誤解したりするのを回避することができる。なお、ここでは、複数の帯域フィルタとして２個のフィルタ８１，８２を設けた例を挙げたが、帯域フィルタを３個以上設けてもよいことは言うまでもない。
【００３３】
図１０は、夜間モード設定画面の他の例を示している。ここでは、夜間モード時間帯の設定とともに、設定された時間帯に対応する帯域フィルタを選択できるようにしている。これらの設定や選択はリモコンの操作により行われる。図１０の夜間モード設定画面は、リモコンとともに時間帯設定手段およびフィルタ選択手段を構成する。これによると、ユーザは時間帯に応じて任意の帯域フィルタを選ぶことができるので、その時間帯に見合った音声出力を得ることができる。
【００３４】
図１１は、夜間モード設定画面のさらに他の例を示している。ここでは、「タイマ動作」「常時ＯＮ」「常時ＯＦＦ」の３つのモードが表示されており、リモコンによりいずれか１つのモードを選択する。「タイマ動作」を選択した場合は、予め設定された夜間モード時間帯にのみ、音声信号処理回路６とスピーカ１０とが帯域フィルタ８（８１，８２）を介して接続される。「常時ＯＮ」を選択した場合は、時間帯にかかわらず常時、音声信号処理回路６とスピーカ１０とが帯域フィルタ８（８１，８２）を介して接続される。「常時ＯＦＦ」を選択した場合は、時間帯にかかわらず常時、音声信号処理回路６とスピーカ１０とが帯域フィルタ８（８１，８２）を介さずに接続される。これによると、ユーザは帯域フィルタを常時作用させたい場合や、帯域フィルタを常時切り離しておきたい場合に、いちいち時間帯を設定する必要がなくなり、操作が簡単になる。
【００３５】
本発明は上述した実施形態以外にも、種々の形態を採用することができる。例えば、上記実施形態では、夜間モード時間帯をリモコンで設定するようにしたが、この時間帯を工場出荷時に設定しておいてもよい。また、この設定値をユーザ側で自由に変更できるようにしてもよい。帯域フィルタの選択についても同様である。
【００３６】
また、上記実施形態においては、表示部としてＣＲＴを用いた例を挙げたが、表示部として液晶ディスプレイやプラズマディスプレイを用いたテレビジョン受像機にも本発明が適用できることは言うまでもない。
【００３７】
さらに、本発明は、ビデオ一体型テレビジョン受像機や、ＤＶＤ（Digital Versatile Disk）一体型テレビジョン受像機のような複合機にも適用することができる。
【図面の簡単な説明】
【００３８】
【図１】本発明の実施形態に係るテレビジョン受像機のブロック図である。
【図２】帯域フィルタの具体的な回路を示す図である。
【図３】帯域フィルタの周波数特性を示す図である。
【図４】音声制御の動作を示すフローチャートである。
【図５】夜間モード設定画面の例である。
【図６】夜間モード表示の例である。
【図７】他の実施形態に係るテレビジョン受像機のブロック図である。
【図８】帯域フィルタの周波数特性を示す図である。
【図９】音声制御の動作を示すフローチャートである。
【図１０】夜間モード設定画面の他の例である。
【図１１】夜間モード設定画面の他の例である。
【符号の説明】
【００３９】
１    アンテナ
２    チューナ
３    中間周波信号処理回路
４    映像信号処理回路
５    ＣＲＴ
６    音声信号処理回路
７    スイッチ
８，８１，８２  帯域フィルタ
９    増幅回路
１０  スピーカ
１１  制御部
１２  ＣＰＵ
１３  メモリ
１４  時計回路
３０  夜間モード表示
１００，１０１  テレビジョン受像機
【図１】
2005328177.tif 000003
【図２】
2005328177.tif 000004
【図３】
2005328177.tif 000005
【図４】
2005328177.tif 000006
【図５】
2005328177.tif 000007
【図６】
2005328177.tif 000008
【図７】
2005328177.tif 000009
【図８】
2005328177.tif 000010
【図９】
2005328177.tif 000011
【図１０】
2005328177.tif 000012
【図１１】
2005328177.tif 000013